(57)【要約】スポーツボトル（１）用のスポーツボトルキャップ（１００）は：−隆起した縁（１５）によって取り囲まれたベースプレート（１１）内の少なくとも１つの注入開口部（２１）と、−可撓性飲料チューブ（２３）であって、可撓性飲料チューブ（２３）を曲げることによってロック可能な内部流れチャネル（２４）を備える、可撓性飲料チューブとを備える、飲料チューブ（２３）は、ベース要素（１０）上に枢動可能に装着された案内要素（３０）内に保持される。飲料チューブ（２３）が曲げられる場合、これは、縁（１５）によって取り囲まれた受け入れ空間（１４）内に容易に格納され得る。曲げられた飲料チューブ（２３）の復元力に反して案内要素（３０）をロッキング位置に引き止める解放可能なロックが、提供される。
2020531370.tif 000002
【特許請求の範囲】
【請求項１】
スポーツボトル（１）用のスポーツボトルキャップ（１００；１００’；１００”；２００）であって、少なくとも：
隆起した縁（１５；２１５）によって取り囲まれたベースプレート（１１；２１１）内に少なくとも１つの注入開口部（２１；２２１）を有するベース要素（１０；２１０）と、
可撓性飲料チューブ（２３；２３’；２２３）であって、前記可撓性飲料チューブ（２３；２３’；２２３）を曲げることによってロック可能な内側流れチャネル（２４；２２４）を備える、可撓性飲料チューブと
を備え、
前記飲料チューブ（２３；２３’；２２３）は、前記ベース要素（１０；２１０）上に枢動可能に装着された案内要素（３０；２３０）内に保持され、
曲げられた前記可撓性飲料チューブ（２３；２３’；２２３）を前記縁（１５；２１５）によって取り囲まれた受け入れ空間（１４；２１４）内に格納することができ、
曲げられた前記飲料チューブ（２３；２３’；２２３）の復元力に反して前記案内要素（３０；２３０）をロッキング位置に引き止める解放可能なロックが、提供されることを特徴とするスポーツボトルキャップ。
【請求項２】
前記ロックは、前記ベース要素（１０）上の支持表面（１０．１）および前記飲料チューブ（２３；２３’）から離れる方向を向く前記案内要素（３０）の後端上の支持縁（３２）によって形成され、前記案内要素（３０）の径方向の変位によって、前記支持縁（３２）を前記支持表面（１０．１）から取り外すことができる請求項１に記載のスポーツボトルキャップ（１００；１００’；１００”）。
【請求項３】
前記案内要素（３０）は、前記ベース要素（１０）にヒンジ留め式に連結されたロック解除ボタン（５０）によって変位可能であることを特徴とする請求項２に記載のスポーツボトルキャップ（１００；１００’；１００”）。
【請求項４】
前記案内要素（３０；２３０）は、両側に、前記ベース要素（１０；２１０）内の支承くぼみ（１８；２１８）内に保持される支承ジャーナル（３１；２３１）を有する請求項１乃至３のいずれか一項に記載のスポーツボトルキャップ（１００、１００’、１００”、２００）。
【請求項５】
前記ロックは、前記支承ピン（２３１）に径方向に隣接する少なくとも１つのロッキングピン（２３２）、および前記案内要素（２３０）の前記ロッキング位置において前記ロッキングピン（２３２）が内部に挿入される前記支承受け入れ部（２１８）内のロッキング受け入れ部（２１９）によって形成される請求項４に記載のスポーツボトルキャップ（２００）。
【請求項６】
少なくとも１つの安全スライド（４０；２４０）であって、前記受け入れ空間（１４；２１４）の上方のレール（１６；２１６）内に変位可能に配置され、第１の端部位置において、曲げられた前記飲料チューブ（２３；２３’；２２３）および／または前記案内要素（３０；２３０）を閉位置に保持する、少なくとも１つの安全スライドが提供される請求項１乃至５のいずれか一項に記載のスポーツボトルキャップ（１００；１００’；１００”；２００）。
【請求項７】
前記安全スライド（４０；２４０）は、前記縁（１５；２１５）を超えて延びる案内レールによって、前記受け入れ空間（１４；２１４）の外側に配置された第２の端部位置まで変位可能である請求項１乃至６のいずれか一項に記載のスポーツボトルキャップ（１００；１００’；１００”；２００）。
【請求項８】
前記飲料チューブ（２３；２３’；２２３）は、前記ベースプレート（１１；２１１）の底側にシール式に連結され、前記注入開口部（２１；２２１）を覆うエラストマー製インサート要素（２０；２２０）の一体的部分である請求項１乃至７のいずれか一項に記載のスポーツボトルキャップ（１００；１００’；１００”；２００）。
【請求項９】
前記受け入れ空間（１４；２１４）内に下降した前記飲料チューブ（２３；２３’；２２３）は、前記注入開口部（２１；２２１）の近くの第１の曲がり点において第１の方向に延び、上方の第２の曲がり点（２２；２２２）において反対方向に延び、前記飲料チューブ（２３；２３’；２２３）はＳ字形状構成をとる請求項１乃至８のいずれか一項に記載のスポーツボトルキャップ（１００；１００’；１００”；２００）。。
【請求項１０】
前記案内要素（３０）は、下方向の枢動運動中、逸出表面によってまたは逸出縁（３３）によって案内要素（１３）上を摺動し、径方向に外方向に変位される請求項１乃至９のいずれか一項に記載のスポーツボトルキャップ（１００；１００’；１００”）。
【請求項１１】
前記案内要素（３０）は、少なくとも１つのばね要素（２５’、５０”）を介して前記ベース要素（１０；２１０）上に支持される請求項１乃至１０のいずれか一項に記載のスポーツボトルキャップ（１００’；１００”）。
【請求項１２】
前記ばね要素（２５’、５０”）は、前記インサート要素（２０）の一部であるエラストマー製の圧縮可能な圧縮ばね要素（２５’）である請求項１１に記載のスポーツボトルキャップ（１００；１００’；１００”）。
【請求項１３】
飲料ボトル（１）および請求項１乃至１２のいずれか一項に記載のスポーツボトルキャップ（１００；１００’；１００”）を少なくとも備えるスポーツボトル。
【請求項１４】
前記飲料ボトル（１）および前記スポーツボトルキャップ（１００；１００’；１００”；２００）は、ねじ山によって連結される請求項１３に記載のスポーツボトル。
【発明の詳細な説明】
【技術分野】
【０００１】
本発明は、請求項１のプリアンブルの特徴を備えたスポーツボトル用のスポーツボトルキャップに関する。
【背景技術】
【０００２】
そのようなスポーツボトルキャップは、特許文献１に開示されている。飲み口は、内部流れチャネルを閉じるために曲がることができる可撓性プラスチックチューブとして設計される。スポーツボトルキャップの密封性をそれだけで保証するチューブの曲がり位置は、クリックイン連結によってスポーツボトルキャップの下部にロックすることができるキャップによって固定される。キャップが解放され、後ろに折り曲げられたとき、飲み口は、弾性の復元力によりその元の形状に戻ることができ、内部流れチャネルは、再度解放される。そのようなスポーツボトルキャップは、特に、飲用シュノーケル（snorkel）とも呼ばれる、飲み口を介してボトルから直接飲むことが意図されているスポーツ活動中に使用することが意図されている。この目的のために、操作はできるだけ簡単でなければならず、片手で可能でなければならない。知られているスポーツボトルキャップの欠点は、ロックの役割も果たす枢動キャップが障害になることである。飲み口を介して飲むとき、これは、１本の指で引き止めておかなければならない。
【先行技術文献】
【特許文献】
【０００３】
【特許文献１】欧州特許第２５３２６０１号明細書
【発明の概要】
【発明が解決しようとする課題】
【０００４】
したがって、本発明の目的は、飲み口を曲げ、これを曲げ位置に保持し、したがって密封閉鎖を作りだすために追加のキャップを必要としない飲み口を備えたスポーツボトルキャップを提供することである。
【課題を解決するための手段】
【０００５】
本発明によれば、この目的は、請求項１の特徴を備えたスポーツボトルキャップによって、特に、飲み口が、ベース要素上に枢動可能におよび／またはシフト可能に装着された案内要素内に保持されることによって、そして曲げられた飲み口を、縁によって取り囲まれた受け入れ空間内に格納できることによって達成される。
【０００６】
飲み口用の受け入れ空間がキャップの下方の空洞内に形成される従来技術とは対照的に、受け入れ空間は、本発明により、ベース部上に直接形成される。飲み口は、受け入れ空間の上部においてロッキング位置に配置された案内要素を介して曲げ位置に固定される。本発明によれば、飲み口は、ベース要素から突起するだけではなく、案内要素の内側にその画定された横方向支承点によって保持される。したがって、弾性飲み口の画定された曲げ点が、提供される。
【０００７】
案内要素は、飲み口とは対照的に、これが剛性であり、したがって可撓性飲み口をロッキング位置に強制し、これを所定場所に保持することを特徴とする。案内要素は、好ましくは、断面がＵ字形状であり、開放プロファイル内に飲み口の端部領域を収容する。
【０００８】
好ましい実施形態では、さらに、案内要素は、二重の曲がりが発生するように、ベース要素内の出口開口部の位置に関連して配置されるものとする。これは、側面で見て飲み口のＳ字形状のうねり構成を作りだし、それにより、内側飲料チャネルは、２点において等しく遮断され、固定シールが達成される。
【０００９】
案内要素の位置と、飲み口の弾性との間の相互作用もまた、本発明の本質的なものである。案内要素は、たとえば親指で押し下げられ、前方に傾斜し、これによって飲み口をとらえる。押し下げられた飲み口のそれまでの変形の結果生じる復元力は、本発明のすべての好ましい実施形態において、ユーザによって設定された後にロッキング位置を固定するために使用される。
【００１０】
本発明のいくつかの実施形態では、案内要素のヒンジ点は、シフトされたときに水平位置に到達するように意図される。これは、線形後退運動を可能にする、摺動要素におけるレールまでの案内によって達成される。これは、ユーザが、飲み口を押し下げた後、案内要素を容易に引き戻す、すなわち径方向に外方向に引っ張ることができることを意味し、ここで、案内要素は、ロック解除ボタンによってブロックされ、したがって曲げられた飲み口を下にして保持する。案内要素のロッキング位置は、これが傾斜装着され、変形された飲み口のばね力が案内要素を解放ボタンにしっかりと押しつけるという事実によって保持される。
【００１１】
ボトルから再度飲むには、ユーザは、案内要素をわずかに前方向に押出すだけでよく、それにより、これは解放ボタンとの係合から外れる。ロックがそれによって解放されるわずかな圧力により、案内キャリッジ上の案内突出部もまた、摺動要素内に押し戻され、それにより、案内要素は、飲み口の弾性のリセットの結果、真っ直ぐに伸びることができる。ユーザは、次いで、案内要素を再度前方向に押出し、それによって飲み口を曲げ、案内要素をそのロッキング位置に戻す。
【００１２】
意図しない開放および飲料の意図しない漏出に対するさらに大きな保護を提供するために、安全スライドが、好ましくはすべての実施形態に提供され、この安全スライドは、受け入れ空間上方の位置に移動することができ、ここで、これは、たとえば案内キャリッジとのクリックイン連結を形成することによって、追加的に、曲げられた飲み口をロックする、および／または案内要素を固定する。
【００１３】
ロッキングスライドは並進に動くことしかできないため、案内要素は、ロッキングスライドと係合されている限り傾斜できない。その代わり、これを解放するために、ユーザは、最初に、ロッキングスライドを外側位置に戻して案内要素および飲み口を動かすことができるようにし、次いで、上記ですでに説明した案内要素の逸出運動を行わなければならない。
【００１４】
本発明によるスポーツボトルキャップの別の利点は、飲み口がクランプから外される水平位置に案内要素をもっていく案内要素の枢動運動と、固定のためのその後の線形変形との組み合わせである。この組み合わせは自己ロック運搬位置を確実にし、この位置は、シフトするだけで解放することができる。
【００１５】
いくつかの実施形態により、シフト作用は、ユーザ自身によって、後退運動によって行われ得る。しかし、これは、好ましくは、ユーザが案内要素を下方向に動かしたときに、案内要素が案内ブロック上を逸出縁または逸出表面によって枢動するように設計される。この強制された案内は、案内要素が運搬位置のわずか下方に押されたときに達成される。次いで、案内要素は、支持縁が支持表面の上方に位置するまで、その外側の後支持縁をわずかに隆起させた傾けられた位置で外方向に押出される。これは、ユーザがロック作用を確実するために案内要素を押し下げるだけでよいという利点を有する。ユーザがこれを解放すると、表面は互いに寄りかかり、運搬位置は固定される。
【００１６】
閉じるときにユーザが２つの異なる動きを行わなければならないことを回避するために、好ましい実施形態は、案内要素の外側の支承ジャーナル上に作用する少なくとも１つの追加のばね要素を提供する。ユーザは、飲み口と共に案内要素を下に下ろすだけでよい。ロックを生み出すために必要な後退運動は、案内要素をロッキング位置に線形に押し戻すばね要素を介して達成される。
【００１７】
本発明の別の実施形態では、案内要素の運動は反転される：飲み口が受け入れ空間内に押し下げられた後、案内要素は、中心方向に前方向に押出され、それによって各支承ジャーナル上の径方向のロッキングピンは、ベース要素内の支承くぼみ内のくぼみと係合し、案内要素の位置を固定する。これを開くために、案内要素をわずかに径方向に外方向に押出してこの係合を再度解放しなければならない。この実施形態は、ロック解除ボタンを必要としない。
【００１８】
本発明は、後続の図を参照してより詳細に説明される。
【図面の簡単な説明】
【００１９】
【図１】飲み口の位置を有する、本発明の第１の実施形態によるスポーツボトルキャップの断面図である。
【図２】飲み口の別の位置を有する、本発明の第１の実施形態によるスポーツボトルキャップの断面図である。
【図３】飲み口の別の位置を有する、本発明の第１の実施形態によるスポーツボトルキャップの断面図である。
【図４】飲み口の別の位置を有する、本発明の第１の実施形態によるスポーツボトルキャップの断面図である。
【図５Ａ】固定された運搬位置にあるスポーツボトルキャップの斜視図である。
【図５Ｂ】固定された運搬位置にあるスポーツボトルキャップの別の斜視図である。
【図６Ａ】固定されていない運搬位置にあるスポーツボトルキャップの斜視図である。
【図６Ｂ】固定されていない運搬位置にあるスポーツボトルキャップの別の斜視図である。
【図７Ａ】ロック解除位置にあるスポーツボトルキャップの斜視図である。
【図７Ｂ】ロック解除位置にあるスポーツボトルキャップの別の斜視図である。
【図８】飲み位置にあるスポーツボトルキャップの斜視図である。
【図９】運搬位置を確立する直前のスポーツボトルキャップの断面斜視図である。
【図１０】運搬位置を確立した直後のスポーツボトルキャップの断面斜視図である。
【図１１Ａ】固定された運搬位置にある、第２の実施形態によるスポーツボトルキャップの斜視図である。
【図１１Ｂ】ロック解除位置にある、第２の実施形態によるスポーツボトルキャップの斜視図である。
【図１２】固定された運搬位置にある、第３の実施形態によるスポーツボトルキャップの斜視図である。
【図１３】飲み位置にある、本発明の第４の実施形態によるスポーツボトルキャップの断面斜視図である。
【図１４】飲み位置と運搬位置との間の、図１３によるスポーツボトルキャップの断面斜視図である。
【図１５】運搬位置を確立する直前の図１３によるスポーツボトルキャップの断面斜視図である。
【図１６】固定された運搬位置にある第４の実施形態によるスポーツボトルキャップの斜視図である。
【発明を実施するための形態】
【００２０】
図１は、以下の本質的な構成要素を備えるスポーツボトルキャップ１００の断面図を示す：
−  硬質プラスチック製のベース要素１０、
−  軟質プラスチックまたはゴム製のインサート要素２０、
−  案内要素３０、
−  安全スライド４０、および
−  ロック解除ボタン５０。
【００２１】
ベース要素１０は、ねじ山が始まる下縁から、上縁１５まで延びる外側のほぼ円筒状の本体を有する。ねじ山は、スポーツボトルまたは飲料ボトル、特に断熱されたボトルのネック部とのシール連結を作りだすために使用することができる。
【００２２】
ベース要素１０の内部は、いくつかの開口部１２、１９を有するベースプレート１１によって分割される。第１のものは注入開口部１９である。ベースプレート内にはいくつかの小さい通気開口部１２も存在する。
【００２３】
インサート要素２０は、下面からベース要素１０内のベース１１に嵌合し、シール式にこれに連結される。インサート要素２０によって覆われた注入開口部１９は、入口開口部２１から開始する内部流れチャネル２４を有する飲み口２３に取り付けられる。
【００２４】
通気開口部１２周りでは、インサート要素２０に、ベースプレート１１から下方に突起するスペーサ１３にわたって広がる小さいドームが設けられる。
【００２５】
図１は、飲料ボトル閉鎖具１００の閉じられた運搬位置を示す。飲み口２３は、２回曲げられ、１回は、出口開口部２１から左に径方向に外方向であり、ここからこれは、曲がり部２２内で向け直され、他の方向に進む。第１に、２回折り畳まれることにより、飲み口２３をより長くし、縁１５の内側に依然として保つことが可能になり、第２に、内側流れチャネル２４を二重で閉じることにより、液体漏出に対するより大きな保護が提供される。曲がり部２２の後方の飲み口２３の部分は、受け入れ空間１４内に完全に位置し、この受け入れ空間は、縁１５によって取り囲まれ、後方においてベース１１によって制限される。第１に、曲げられた飲み口２３の位置は、図１ではロッキング位置にある案内要素３０によって固定される。案内要素３０は、ベース要素１０内の枢動式装着のために各側に１つの支承ジャーナル３１を有する。
【００２６】
第２に、図１では、安全スライド４０は、案内要素３０が受け入れ空間１４の上方に位置するロッキング位置にもっていかれている。安全スライド４０は、レール１６内で案内される。これは、案内要素３０を固定し、したがって飲み口２３が意図せずに立ち上がり、したがって内側の流れチャネルを解放することを防止する。レール１６は、Ｕ字形状ブレース１７の内側側面の両側に形成され、Ｕ字形状ブレースは、ベース要素１０の縁１５を超えて径方向に外方向に延びる。ブレース１７はまた、キャップが閉位置にあるときにその水筒（flask）を運ぶために使用することもできる。
【００２７】
図２は、開口プロセスの始まりを別の断面図で示す。安全スライド４０は、すでに、ブレース１７内の縁１５の外側のその端部位置に押し入れられており、それによって案内要素３０の妨害のない動きを可能にしている。安全スライド４０は、クリックイン突起部４１によってこの位置に保持される。
【００２８】
安全スライドによって解放されているにもかかわらず、案内要素３０は、これが短い距離にわたってハウジング１０に依然としてぴったりと取り付けられているため、自動的に立ち上がることはできず、それにより、これは、径方向に変位することはできるが、その支承ジャーナル周りでまだ回転することはできない。この中間位置に打ち勝つために、案内要素３０は、解放ボタン５０をわずかに押さえることによって、前方に径方向に、中心の方向に押出される。次いで、これは、図３に示すようにその後端において自由になる。このとき、案内要素３０は、もはやベース要素１０に対するねじりに対して固定されず、曲げられた弾性飲み口２３の復元力によって再度立ち上がることができる。
【００２９】
図４は、飲み位置を示す。飲み口２３は、完全に広がっており、それにより、出口開口部２１と飲み口２３の端部との間の内部流れチャネル２４は、開いている。飲み口２３は、案内キャリッジ３０内に保持され、それにより、両方の構成要素は同じ角度位置に位置決めされる。
【００３０】
図５Ａ、５Ｂの各々では、閉位置が、図１と同様に、但し斜視図で示されている。案内要素３０および安全スライド４０の両方は、内側の受け入れ空間１４の上方のほぼ水平位置にあり、受け入れ空間１４の開口部を完全に覆っている。案内要素３０および安全スライド４０の上部には、突起部が形成され、この突起部は、くぼみ状グリップを形成して、構成要素を逸出させることによってスポーツボトルキャップ１００の操作を容易にする。
【００３１】
案内要素３０は、一方では、ベース要素１０の支承くぼみ１８内の、図５Ｂに部分的に断面図に見える支承ジャーナル３１によって固定される。他方では、案内要素３０は、後縁３２をベース要素１０内のリッジ（ledge）上にして位置し、その前縁は安全スライド４０によって保持される。図５Ｂでこれも分かるように、支承くぼみ１８は、二重支承くぼみとして、または楕円穴として設計される。これにより、回転が可能になる前に、支承ジャーナル３１を横断方向に動かすことが可能になる。
【００３２】
図６Ａでは、安全スライド４０は、ブレース１７内のその外側端部位置まですでに移送されており、それにより、案内要素３０の固定は、片側においてすでに解放されている。しかし、案内要素３０はその後縁３２が、ベース要素１０上の支持表面１０．１（図６Ｂを参照）上に依然として載置しており、この位置は、弾性飲み口２３のばね力によって保持される。支承ジャーナル３１は、支承くぼみ１８内の外側の後位置にある。
【００３３】
図７Ａに示すように、解放ボタン５０を押さえるだけで、案内要素３０をわずかに前進させることができる。支承くぼみ１８内の支承ジャーナル３１は、前部の内側位置に動く。それと同時に、後縁３２は、支持表面１０．１との係合から解放され、案内要素３０は、支承ジャーナル３１の軸周りで自由に枢動することができる。
【００３４】
弾性飲み口２３の復元力により、これは、図８に示す、図４の断面図の位置に対応する飲み位置をとるまで、それ自体およびこれに連結された案内要素３０を完全に真っ直ぐにする。
【００３５】
これまでの例示は主に開口プロセスに言及していたが、図９および１０は、図４および８による飲み位置から、図１、５Ａ、または５Ｂによる固定された運搬位置に戻る移行を示す。
【００３６】
図８の操作位置または飲み位置から開始して、ユーザは、案内要素３０を上方から押さえ、これを下方向に押し下げる。これはまた、飲み口２３も変形させる。ユーザが、案内要素３０を押さえて、これがハウジングの上側の下方になるまで受け入れ空間１４内にさらに少しだけ下げると、これは、その前部の下側逸出縁３３が、ベース要素１０内の案内ブロック１３の湾曲した凹状表面に到達する。
【００３７】
図９は、逸出縁３３と案内ブロック１３との最初の接触を示す。案内要素３０は、それによって、内側下方向にわずかに傾けられる。案内要素３０の後側は、それと同時にわずかに隆起する。後縁３２は、ベース要素１０において支持表面１０．１の上方に配置される。一方では案内ブロック３０上の接触があるが、支承ジャーナル３１は、他方では支承くぼみ１８（図６Ｂ、７Ｂを参照）内に保持されているため、ユーザによってかけられた力は、支承ジャーナル３１が、これらが支承くぼみ１８内のその後位置になるまで、径方向にシフトされるように向け直される。ユーザが案内要素３０を再度解放すると、これは、飲み口２３の弾性力によって上方向に押し上げられ、それによって後縁３２はそれ自体を支持表面１０．１上に置いて運搬位置を確実にする。案内要素３０が偶発的なわずかな圧力によってロッキング位置から外れることを防止する安全スライド４０によって、さらなる安全性を達成することができる。
【００３８】
図１１Ａは、第２の実施形態によるスポーツボトルキャップ１００’を固定された運搬位置で、斜視図で示す。案内要素３０、安全スライド４０、およびベース要素１０は、第１の実施形態と比べて実質的に変わらない。
【００３９】
相違として、支承ジャーナル３１とベースハウジングとの間に配置された圧力ばね要素２５’が、提供される。図示する実施形態では、これは、インサート要素の一部であり、したがって、飲み口２３’と一体的にエラストマー材料から形成される。圧力ばね要素２５’は、支承ジャーナル３１を介して案内スライド３０を固定された位置に押さえ、これをそこに保持する圧縮可能な本体である。
【００４０】
飲み口２３’を隆起させるために、ユーザは、案内要素３０を、圧力ばね要素２５’の力に反して図１１Ｂに示す位置に動かさなければならない。それによって、エラストマー圧力ばね要素２５’は、圧縮される。この位置は、図７Ｂの第１の実施形態の図に対応する。したがって、飲み口２３’が上昇する飲み位置は、図８に示すようなスポーツボトルキャップ１００’の場合であっても全く同じである。
【００４１】
図１２は、第３の実施形態による、ここでもロック解除位置にあるスポーツボトルキャップ１００”を斜視図で示す。案内要素３０、安全スライド４０、およびベース要素１０は、ここでも同様に、第１の実施形態および第２の実施形態と比べて本質的に変わらない。飲み口２３”を有するインサート要素は、成形されたエラストマーばね要素ではなく、金属圧力ばね要素５０”を同じ位置および機能で有することが、異なる。圧力ばね要素５０”は、ユーザが案内スライド３０に圧力を及ぼさなくなるとすぐに、ベース要素１０内の楕円穴形状の支承くぼみ１８の支承ジャーナル３１を外側に押出し、したがって、案内スライド３０をロッキング位置に自動的に戻す。
【００４２】
スポーツボトルキャップ１００’の場合の圧力ばね要素２５’、またはスポーツボトルキャップ１００”内の圧力ばね要素５０”は、一方では、ユーザが飲み口２３と共に案内要素３０を押し下げるだけでよく、案内要素３０を能動的にロッキング位置に引き戻すことは必要でないため、閉鎖プロセスを容易にする。他方では、これは、案内要素３０を飲み口２３と共に立ち上がらせる速度を落とし、その理由は、ユーザが、これを圧力ばね要素５０の力に反して動かす間、案内要素３０のより長い距離にわたってこの上に指をのせたままにする必要があるためである。その結果、ユーザは、案内要素３０の隆起を自動的に抑制する。
【００４３】
スポーツボトルキャップ１００’の第２の実施形態では、支承ジャーナル３１とエラストマー圧力ばね要素２５’との間の摩擦が、追加的にこの動きを制動する。
【００４４】
図１３は、飲料ボトル１上に置かれたスポーツボトルキャップ２００のさらに別の実施形態を示す。ベース要素２１０が、これまで説明した実施形態と同様に形成され、受け入れ空間２１４を画定するベースプレート２１１の上方の隆起した縁２１５も有する。ベースプレート２１１は、通気開口部２１２および注入開口部２２１を有する。エラストマー製インサート要素２２０の一部は、ベースプレート２１１の下方に、注入開口部２２１および通気開口部２１２を覆って配置される。インサート要素２２０はまた、入口開口部２２１の領域に流れ込む内部流れチャネル２２４を有する飲み口２２３も含む。
【００４５】
飲み口２２３は、ベース要素２１０内に可動式に装着された案内要素２３０内に保持される。図１３は、飲み口２２３および案内要素２３０が直立しており、それによって飲み口２２３と入口開口部２２１との間の管状ピン２２２が開いている飲み位置を示す。案内要素２３０は、後縁２３３をインサート要素２２０のくぼみ２１３に入れて配置され、それによってインサート要素が図示する飲み位置を超えて外側に過度に伸張することを回避する。
【００４６】
さらに、受け入れ空間２１４の外側の飲み位置に配置された安全スライド２４０が、図１３に示される。ブラケット２１７がベース要素２１０に取り付けられる。安全スライド２４０は、レール２１６内で案内される。レール２１６の形状により、安全スライド２４０は、図１６に示す閉位置に動かされる間、レール２１６の端部の下方に一旦飛び込まなければならず、そのため、意図せずシフトしないように確実に固定される。
【００４７】
図１４は、飲み口２２３が飲み位置からロッキングおよび運搬位置にもっていかれる中間位置にあるスポーツボトルキャップ２００を示す。
【００４８】
支承ジャーナル２３１の成形は、本質的なものである。これは、案内要素２３０の側面およびベース要素２１０内の関連する支承くぼみ２１８を連結する。支承ジャーナル２３１は、円筒状の軸スタブとして成形されるだけでなく、径方向に外方向に延びる追加のロッキングピン２３２も有する。支承くぼみ２１８は、ロッキングピン２３２を有する支承ジャーナル２３１が、案内要素２３０が押し下げられている間の必要な動きに十分な空間を有するように成形される。
【００４９】
図１５は、最終ロッキング位置直前の案内要素２３０の位置を示す。案内要素２３０は、すでに平坦に下がって位置しており、それにより、その表面は、大部分がベース要素２１０においてその周囲と同一平面にある。飲み口２２３は受け入れ空間２１４内にすでに下降している。安全スライド２４０は、依然として受け入れ空間２１４の外側にある。支承ジャーナル２３１上のロッキングピン２３２は、このとき、ほぼ水平であり、支承くぼみ２１８内のポケット２１９の正面に直接位置決めされる。案内要素２３０がここで前方に、すなわちブラケット２１７または受け入れ空間２１４の方向にわずかに押されると、ロッキングピン２３２はポケット２１９と係合する。復元力が、よじれた飲み口２２３の弾性によって案内要素２３０上に及ぼされるとき、ロッキングピン２３２は、ポケット２１９の壁に押さえつけられる。案内要素２３０のロッキング位置は、したがって、ユーザが案内要素２３０に触れなくなった場合でも、ロッキングピン２３２およびポケット２１９によって自動的に保持される。
【００５０】
案内要素２３０をさらに固定するために、ロッキングスライド２４０は、これが受け入れ空間２１４の上方に位置し、案内要素２３０の前縁２３４にぴったりと固定するまで、レール２１６に沿って押される。そのため、飲み口２２３は、万が一ロッキングピン２３２が支承くぼみ内のポケット２１９から外れる場合であってもすぐに立ち上がることはできない。
【００５１】
図１６は、ロッキングスライド２４０が案内要素２３０近くに位置決めされる最終ロッキングおよび運搬位置を示す。
【図１】
2020531370.tif 000003
【図２】
2020531370.tif 000004
【図３】
2020531370.tif 000005
【図４】
2020531370.tif 000006
【図５Ａ】
2020531370.tif 000007
【図５Ｂ】
2020531370.tif 000008
【図６Ａ】
2020531370.tif 000009
【図６Ｂ】
2020531370.tif 000010
【図７Ａ】
2020531370.tif 000011
【図７Ｂ】
2020531370.tif 000012
【図８】
2020531370.tif 000013
【図９】
2020531370.tif 000014
【図１０】
2020531370.tif 000015
【図１１Ａ】
2020531370.tif 000016
【図１１Ｂ】
2020531370.tif 000017
【図１２】
2020531370.tif 000018
【図１３】
2020531370.tif 000019
【図１４】
2020531370.tif 000020
【図１５】
2020531370.tif 000021
【図１６】
2020531370.tif 000022
【国際調査報告】
2020531370.tif 000023
2020531370.tif 000024